(57)【要約】【課題】  フロンガス類を回収したガスボンベの運搬時の転倒を防止する。【解決手段】  容器本体１と、蓋体２と、緊締バンド３と、パッド４と、ボンベ受け５ａ（５ｂ）とを有している。容器本体１は、ガスボンベＢを収容する上面が開放された角型容器であり、蓋体２は、上面に天蓋８を有し、下面が開放された角型容器であり、容器本体１の側壁６内面をスライド面として、蓋体２の各側壁９は、容器本体１内に摺動可能に組み合わされるものであり、緊締バンド３は、容器本体１内にガスボンベＢを収納した状態において、蓋体２を抑えて容器本体１に緊締する一本のバンドであり、パッド４は、容器本体１の底に敷設してガスボンベＢを支える緩衝材であり、ボンベ受け５ａ、５ｂは、パッド４の円形座１２ａ、１２ｂにそれぞれはめ込んでガスボンベＢの環状の台座Ｓのエッジからパッド４の損傷を防ぐための補強板である。【選択図】図２
0003138676.tif 000002
【実用新案登録請求の範囲】
【請求項１】
容器本体と、蓋体と、緊締バンドと、パッドと、ボンベ受けとの組合せを有するフロン類を回収したガスボンベの収納ケースであって、
容器本体は、角型容器であり、上面が開放され、目的とするボンベの高さより低い立上り高さの側壁を四周に有し、対を成す一方の側壁外面の一部には把手となる窪みが形成され、
蓋体は、上面に天蓋を有し、下面が開放された角型容器であり、容器本体の側壁の立上り高さよりやや低い高さの側壁を四周に有し、蓋体の天蓋の大きさは、容器本体の底板の大きさよりも一回り小さい角型に設定され、容器本体の側壁内面をスライド面として、蓋体の各側壁は、容器本体内に摺動可能に組み合わされるものであり、
緊締バンドは、容器本体と蓋体との組み合わせ内にガスボンベを収納した状態において、蓋体を容器本体に緊締する一本のバンドであり、その一端に緊締具を有し、
緊締バンドの長さは、容器本体に、蓋体を最大立上り高さに組み合わせた状態で両者を緊締するために必要な長さに設定されているものであり、
パッドは、容器本体の底に敷設してボンベを支える緩衝材であり、外径は容器本体の形状をかたどった角型盤であり、盤面中央には大小のボンベの環状の台座の形状をかたどって大径の円形座と小径の円形座とが内外同心上状に形成されたものであり、
ボンベ受けは、パッドの円形座にそれぞれはめ込んでボンベの環状の台座のエッジからパッドの損傷を防ぐための補強板であり、大径の円形座に設置する環状のものと、小径の円形座に設置する円盤状のものであることを特徴とするフロン類を回収したガスボンベの収納ケース。
【請求項２】
容器本体の一方の対向側壁の下部及び対応する蓋体の一方の対向側壁の上部には、スリットが開口され、緊締バンドは、それぞれのスリットを通して容器本体と蓋体とに跨って挿し込まれているものであることを特徴とする請求項１に記載のフロン類を回収したガスボンベの収納ケース。
【考案の詳細な説明】
【技術分野】
【０００１】
本考案は、ガスボンベの運搬用コンテナ、特に自動車のエアコンから回収されたフロンを収納したボンベを収納するケースに関する。
関する。
【背景技術】
【０００２】
平成１７年１月１日、自動車リサイクル法が実施され、使用済みとなった自動車に搭載されているカーエアコンのフロン類の回収が義務付けられ、フロン類の回収義務は、自動車リサイクルと一体的に取り扱われるようになった。使用済み自動車から回収されたフロン類はボンベに詰めて処理業者に引き渡されるが、ガスボンベの運搬中に転倒による衝撃を受けてフロン類が大気中に放出されるという事故が発生したこともあって、ガスボンベの充填口からの漏れを防止するための「漏れ防止キャップ」の装着が義務付けられた。
【０００３】
「漏れ防止キャップ」の装着によって、転倒したガスボンベからのフロン類の流出を防止することも重要であるが、根本的に解決するには、ガスボンベの転倒を防止することであろうと思われる。この解決策として先にガスボンベ専用のケースを提案した。ボンベを角形のケースに収容することによって、転倒の危険は減少し、トラックによる運搬時には縦横に配列し、上下に重ねることができ、すくなくとも運搬時の転倒を防止することができる。
【０００４】
従来、ガスボンベの運搬用のケースとしては、たとえば、特許文献１に記載されているようにガス設備のない場所での給湯サービスを可能とするために、設置する場所までの持ち運びが簡便で、かつ、設置後には即座に給湯サービスを可能にするためのボンベ保護ケースはあったが、フロン類の運搬専用に用いるケースはなかった。
【特許文献１】特許公開２００５−３２６０４９
【考案の開示】
【考案が解決しようとする課題】
【０００５】
解決しようとする問題点は、角形の専用のケース内にガスボンベを収納することによって、転倒の危険を減少させることができるが、危険なフロン類の運搬用ケースとして適当な構造を提供しようとする点である。
【課題を解決するための手段】
【０００６】
本考案は、ガスボンベのサイズの大小の違いに関わらず、ケース内に安定に支持させて固定し、ケースを少なくとも３０°以上傾けても転倒しない構造とした点を最も主要な特徴とする。
【考案の効果】
【０００７】
本考案のガスボンベ収容ケースには、少なくとも２種類以上のサイズのボンベをケース内に安定に固定し、運搬中、取り扱い中の転倒を防止してガス漏れの危険を回避するにとどまらず、収容ケースを縦横に配列し、さらに上下に積層してトラック類の荷台に積載して安全に運搬することができる。
【考案を実施するための最良の形態】
【０００８】
フロン類を収容したガスボンベの転倒を防止し、安全に運搬するという目的を専用のケースを用い、ケース内にガスボンベを安定に固定することによって実現した。
【実施例１】
【０００９】
（１）ガスボンベ収容ケースの構成
図１において、本考案によるガスボンベ収容ケースは、容器本体１と、蓋体２と、緊締バンド３と、パッド４と、ボンベ受け５ａ、５ｂとの組合せからなっている。容器本体１は、上面が開放された角型容器であり、目的とするガスボンベの高さより低い立上り高さの側壁６を四周に有し、対を成す一方の側壁外面の一部には把手７となる窪みが形成されたものである。
【００１０】
蓋体２は、上面に天蓋８を有し、下面が開放された角型容器であり、容器本体１の側壁６の立上り高さよりやや低い高さの側壁９を四周に有している。天蓋８の大きさは、容器本体１の開口よりも一回り小さい角型に設定され、容器本体１の側壁６の内面をスライド面として、蓋体２の各側壁９の外面は、容器本体１内に摺動可能に組み合わされる。これによって蓋体２は、容器本体１の開口を通してその内部に嵌合され、脱着可能となっている。
【００１１】
緊締バンド３は、容器本体１と蓋体２との組合せ内にガスボンベを収納した状態において、蓋体２の天蓋８をガスボンベの上端に押し付けて容器本体１に圧着させる一本のバンドであり、その一端に緊締具３ａを有している。緊締バンド３の長さは、容器本体１に、蓋体２を最大立上り高さに組み合わせた状態で両者を緊締するために必要な長さに設定されている。
【００１２】
なお、図１に示すように容器本体１の一方の対向側壁の下部及び対応する蓋体２の一方の対向側壁の上部には、スリット１０、１１が開口され、緊締バンド３は、それぞれのスリット１０，１１を通して容器本体１と蓋体２とに跨って挿し込まれている。
【００１３】
さらに、パッド４は、容器本体の底に敷設してボンベを支える緩衝材であり、外径は容器本体１の形状をかたどった角型盤であり、盤面中央には大小サイズの違いによるガスボンベの環状の台座の形状をかたどって大径の円形座１２ａと小径の円形座１２ｂとが内外同心上状に形成されている。ボンベ受け５ａ、５ｂは、パッド４の円形座１２ａ、１２ｂにそれぞれはめ込んでガスボンベの環状の台座のエッジからパッド４の損傷を防ぐための補強板であり、大径の円形座１２ａに設置する環状のもの（５ａ）と、小径の円形座１２ｂに設置する円盤状のもの（５ｂ）との組み合わせが準備されている。
【００１４】
なお、容器本体１及び蓋体２の材質は特に限定されるものではないが、この実施例では強度、重量を考慮してポリプロピレン樹脂によって成形している。また、容器本体１及び蓋体２は予め立体的に成形されている必要はなく、展開形状の平板を折り曲げて定型に組立てる構造であってもよく、組立箱を用いることによって、不使用時には、折り畳んでコンパクトに保管ができる。
【００１５】
（２）ガスボンベ梱包の手順
次に本考案による収容ケース内にガスボンベを梱包する要領を説明する。ガスボンベには、例えば自動車の空調設備から回収されたフロン類がつめられたものである。図２（ａ）において、パッド４は、その着座面にボンベ受け５ａ（又は５ｂ）を予め敷設して容器本体１内に収納されている。
【００１６】
収納ケースの保管時には、蓋体２は容器本体１の立上り高さの範囲内に挿し込まれ、また緊締バンド３の先は、予め蓋体２方のスリット１０から天蓋８の下面を通して対向面のスリットから外部に引き出され、容器本体１の一方の側壁を下向きにはわせて容器本体１の一方のスリット１１内から容器本体１の底を通して他方のスリット１１から引き出され、その先端は、容器本体１の他方の側壁を上向きにはわせてバンドの基部に備えた緊締具３ａに結合されている。
【００１７】
本考案による収容ケース内にガスボンベＢを収容するときには緊締バンド３を緊締具３ａからはずし、図２（ｂ）に示すように容器本体１内から蓋体２を取り外し、取り外した蓋体２は、緊締バンド３で繋いだままで容器本体１の横に仰向きに置き、ついで開放された容器本体１内には、その開口を通してガスボンベＢを容器本体１の空間内に挿し込み、ガスボンベＢの台座Ｓをパッド４の着座面に敷設したボンベ受け５ａ（又は５ｂ）に支えてパッド４上に保持させる。
【００１８】
ガスボンベＢの高さは、容器本体１の立上り高さより高く、したがってその一部は容器本体１の開口縁より上方に突出する。次いで、図２（ｃ）に示すようにガスボンベＢの突出部分に蓋体２をかぶせ、さらに蓋体２の開口縁を容器本体１の開口縁内に深く挿し込み、蓋体２の天蓋８の内面にてガスボンベＢの上端を支え、さらに、緊締バンド３を緊締して蓋体２の天蓋８をガスボンベＢ上に押し付け、緊締バンド３を締め付けてその先端を緊締具３ａに固定する。
【００１９】
これによって、ガスボンベＢは容器本体１と蓋体２間に強く挟まれ、収納ケース内の定位置に安定に保持される。ガスボンベＢのサイズには大小いくつかの種類があり、大径の台座を有するガスボンベは、その台座の底を大径の円形座１２ａに設置した環状のボンベ受け５ａ上に着座させ、小径の台座を有するガスボンベは、その底を小径の円形座１２ｂに設置した円盤状のボンベ受け５ｂ上に着座させる。これによって、パッド４は保護され、ガスボンベの台座のエッジから受ける損傷が防止される。市販のガスボンベの仕様の１例を表１に示す。表１は、サンプリングしたいくつかのガスボンベの仕様を示したものであって、これ以外にも異なるサイズのものや、サイズが同じであっても形状、内容積が異なる種々の形式のガスボンベが知られている。
【００２０】
【表１】
0003138676.tif 000003
【００２１】
表１に明らかなように、ガスボンベは、サイズやメーカの違いによってボンベの形状、大きさ、高さが異なるが、ボンベの外径はＳ社のサイズ２０Ｋｇのもので、最大３１０ｍｍ、全高はＫ社のサイズ２４Ｋｇのもので最大６２０ｍｍであった。これらの点を考慮して、容器本体と蓋体との組み合わせによって構成される収容ケースの仕様として、
最小外寸法：３６５ｍｍ（たて）×３６５ｍｍ（よこ）×４２０ｍｍ（高さ）
最大外寸法：３６５ｍｍ（たて）×３６５ｍｍ（よこ）×６７０ｍｍ（高さ）
最小内寸法：３３３ｍｍ（たて）×３３３ｍｍ（よこ）×４００ｍｍ（高さ）
最大内寸法：３３３ｍｍ（たて）×３３３ｍｍ（よこ）×６５０ｍｍ（高さ）
の組み合わせ箱に設計した。容器本体及び蓋体はポリプロピレン樹脂を用いた。その重量は約３．２ｋｇ／ｃｓであった。
【００２２】
また、パッドには厚さ２０ｍｍの四角形を半割にした発泡スチロールを用い、プラスチック段ボール製の底紙に貼り付け、パッド面には、直径２２０ｍｍと１６５ｍｍとの大小の円形座を同心上にくりぬき、それぞれの円形座上に台座受けとしてリング状及び円盤状に加工した低発泡のプラスチックダンボール紙製のボンベ受けを載置した。
【００２３】
図３にサイズの異なるガスボンベ、この例ではサイズが１２Ｋｇのもの、２０Ｋｇのもの、２４Ｋｇのものを本考案による収納ケース内に収納した状態を図示している。この例では、２４Ｋｇのサイズのガスボンベの全高がもっとも高く、以下２０Ｋｇのもの、１２Ｋｇのもの順に全高が低いものとして示している。
【００２４】
図に示すように収納ケース内に収容したガスボンベの高さが高いほど、容器本体に対する蓋体の挿し込み深さが減少するが、最も全高が高いサイズ２４Ｋｇの６２０ｍｍのものであっても、蓋体は、容器本体の開口から抜け落ちることなく、容器本体の側壁に支えられ、且つ蓋体は緊締バンドの締付力を受けてその天蓋がガスボンベの頂部を押し付けられ、ガスボンベは容器本体内の定位置に安定に固定保持される。
【００２５】
本考案による収納ケース内にガスボンベを収納して運搬する場合の転倒角度と、露出したままのガスボンベを運搬する場合の転倒角度とを比較した。その結果を表２に示す。
【００２６】
【表２】
0003138676.tif 000004
【００２７】
表２に明らかなように、ガスボンベを本考案による収納ケースに収納したときには、３０°以上の角度に収納ケースを傾けても転倒することがなく、したがって運搬中のガスボンベの転倒によるフロン類の漏洩事故を減少することができるが、とりわけ収納ケースを角型の箱を用いることによって運送中は縦横に配列し、さらに上下に積層できるので、収納ケース同士が隣接相互で支え合うことによって、車両による運搬中の転倒の事故をより減少させることができる。
【産業上の利用可能性】
【００２８】
自動車から回収されたフロン類は、ガスボンベに詰められ、本考案による収納ケース内に格納することによって、転倒などによるフロンガスの漏洩といった事故を未然に防止することができる。
【図面の簡単な説明】
【００２９】
【図１】本考案による収納ケースの１実施例を示す分解斜視図である。
【図２】（ａ）〜（ｃ）は、本考案の収納ケースにガスボンベを収納する手順を示す図である。
【図３】サイズが異なるガスボンベを本考案の収納ケースに格納した時の違いを示す図である。
【符号の説明】
【００３０】
１  容器本体
２  蓋体
３  緊締バンド
４  パッド
５ａ、５ｂ  ボンベ受け
６、９  側壁
７  把手
８  天蓋
１０、１１  スリット
１２ａ  大径の円形座
１２ｂ  小径の円形座
Ｂ  ガスボンベ
Ｓ  ガスボンベの台座
【図１】
0003138676.tif 000005
【図２】
0003138676.tif 000006
【図３】
0003138676.tif 000007